(57)【要約】【課題】シャフトと一体に回転軸回りに回転するロータと、回転軸回りに一体に回転可能なカムリング及びサイドプレートと、カムリング及びサイドプレートの回転を制御する回転制御手段とを備えるベーンポンプにおいて、ロータを回転させるとともにカムリングをロータの回転方向と逆方向に回転させる場合でのポンプ吐出量の低下を抑制する。【解決手段】サイドプレート２５の吸入口２５ｂに、ロータ２２の回転方向と逆方向に回転する場合に吸入口２５ｂへ油を誘導するガイド部材１００を設ける。【選択図】図４
2020200786.tif 000002
【特許請求の範囲】
【請求項１】
回転軸と一体に回転軸回りに回転するロータと、
前記ロータに対して径方向に往復動自在に設けられる複数のベーンと、
前記ロータの外周を囲み、前記ベーンの先端が摺接し、前記ロータの外周との離間距離が前記回転軸回りの方向で変化する内周面を有し、前記回転軸回りに回転可能に設けられるカムリングと、
前記カムリングの回転軸方向における一端側に、前記カムリングと一体となって前記回転軸回りに回転可能に設けられ、作動流体を吸入する吸入口を有する第１のサイドプレートと、
前記カムリングの回転軸方向における他端側に、前記カムリングと一体となって前記回転軸回りに回転可能に設けられ、作動流体を吐出する吐出口を有する第２のサイドプレートと、
前記ロータと、一対の隣り合う前記ベーンと、前記カムリングと、前記第１のサイドプレートと、前記第２のサイドプレートとによって区画されるポンプ室と、
前記カムリングと、前記第１のサイドプレートと、前記第２のサイドプレートと、の回転を制御する回転制御手段と、を備えるベーンポンプであって、
前記第１のサイドプレートは、
前記ロータの回転方向と反対の方向に前記カムリングが回転する場合に、前記吸入口から前記ポンプ室へ、作動流体を誘導するガイド面を有するガイド部材を有する、
ことを特徴とするベーンポンプ。
【請求項２】
請求項１に記載のベーンポンプであって、
前記ガイド部材は、前記第１のサイドプレートに固定される、
ことを特徴とする、ベーンポンプ。
【請求項３】
請求項２に記載のベーンポンプであって、
前記ガイド部材は、前記第１のサイドプレートから回転軸方向に向かって隆起する凸部を有する、
ことを特徴とする、ベーンポンプ。
【請求項４】
請求項１に記載のベーンポンプであって、
前記ガイド部材は、一端部に軸が挿通され、
前記第１のサイドプレートは、前記ガイド部材の前記軸を支持することで、前記ガイド部材を、前記ロータの回転方向と反対の方向に前記カムリングが回転する場合に前記吸入口から前記ポンプ室へ作動流体を誘導する位置であるガイド位置と、前記ガイド位置とは異なる退避位置との間で移動可能に支持する支持部を有する、
ことを特徴とする、ベーンポンプ。
【請求項５】
請求項１から４のいずれかに記載のベーンポンプであって、
前記ロータは前記ベーンを収容するスリットを前記回転軸回りの周方向に所定間隔をあけて複数有し、
複数の前記スリットは前記回転軸側の端部に作動流体で満たされると前記ベーンを付勢する背圧室を有し、
前記第２のサイドプレートは、前記吐出口から吐出された作動流体の一部を、前記背圧室へ導入する油路を有する、
ことを特徴とする、ベーンポンプ。
【発明の詳細な説明】
【技術分野】
【０００１】
本発明は、ベーンポンプに関する。
【背景技術】
【０００２】
特許文献１には、シャフトと一体に回転軸回りに回転するロータと、回転軸回りに回転可能なカムリングと、カムリングの回転軸回りの回転を制御する回転制御手段とを備えるベーンポンプが開示されている。このようなベーンポンプは、ロータを回転させるとともにカムリングをロータの回転方向と同じ方向に回転させると、油の吐出量が少なくなり、ロータを回転させるとともにカムリングをロータの回転方向と逆方向に回転させると、油の吐出量が多くなる。即ち、カムリングの回転方向と回転速度を調整することで、油の吐出量を調整することができる。
【先行技術文献】
【特許文献】
【０００３】
【特許文献１】特開２０１７−４４１４９号公報
【発明の概要】
【発明が解決しようとする課題】
【０００４】
しかしながら、このようなベーンポンプにおいて、ロータを回転させるとともにカムリングをロータの回転方向と逆方向に回転させる場合、カムリングの吸入口からポンプ室へ流入する油の流れは、カムリングの回転によって一旦カムリングの回転方向に流れてから、ロータの回転方向に向かって流れることになる。つまり、油の流れが蛇行することになる。油がこのように流れることで、油の圧力損失が増えて、キャビテーションが発生しやすくなり、ポンプ吐出量が低下するおそれがある。
【０００５】
本発明は、このような技術的課題に鑑みてなされたものであり、シャフトと一体に回転軸回りに回転するロータと、回転軸回りに回転可能なカムリングと、カムリングの回転軸回りの回転を制御する回転制御手段とを備えるベーンポンプにおいて、ポンプ吐出量の低下を抑制することを目的とする。
【課題を解決するための手段】
【０００６】
本発明のある態様によれば、回転軸と一体に回転軸回りに回転するロータと、前記ロータに対して径方向に往復動自在に設けられる複数のベーンと、前記ロータの外周を囲み、前記ベーンの先端が摺接し、前記ロータの外周との離間距離が前記回転軸回りの方向で変化する内周面を有し、前記回転軸回りに回転可能に設けられるカムリングと、前記カムリングの回転軸方向における一端側に、前記カムリングと一体となって前記回転軸回りに回転可能に設けられ、作動流体 を吸入する吸入口を有する第１のサイドプレートと、前記カムリングの回転軸方向における他端側に、前記カムリングと一体となって前記回転軸回りに回転可能に設けられ、作動流体を吐出する吐出口を有する第２のサイドプレートと、前記ロータと、一対の隣り合う前記ベーンと、前記カムリングと、前記第１のサイドプレートと、前記第２のサイドプレートとによって区画されるポンプ室と、前記カムリングと、前記第１のサイドプレートと、前記第２のサイドプレートと、の回転を制御する回転制御手段と、を備えるベーンポンプであって、前記第１のサイドプレートは、前記ロータの回転方向と反対の方向に前記カムリングが回転する場合に、前記吸入口から前記ポンプ室へ、前記作動流体を誘導するガイド面を有するガイド部材を有する、ことを特徴とするベーンポンプが提供される。
【０００７】
上記態様によれば、ロータを回転させるとともにカムリングと第１及び第２のサイドプレートとをロータの回転方向と逆方向に回転させる場合、ガイド部材によって、油がカムリングの回転方向へ流れることを防ぐとともに、ガイド面によって、油が吸入口へ誘導される。つまり、油の流れが蛇行しないようにする。これにより、油の流れの乱れによって圧力損失が増加してキャビテーションが発生するのを抑制し、ポンプ吐出量の低下を抑えることができる。
【図面の簡単な説明】
【０００８】
【図１】第１の実施形態のベーンポンプの断面概略図である。
【図２】第１の実施形態のベーンポンプの図１のＩＩ−ＩＩ断面の概略図である。
【図３】第２のサイドプレートの概略図である。
【図４】第１の実施形態のベーンポンプの図１のＩＶ−ＩＶ断面の概略図である。
【図５Ａ】第１の実施形態のベーンポンプの図１のＩＶ−ＩＶ断面における油の流れの概略図である。
【図５Ｂ】比較例のベーンポンプの図１のＩＶ−ＩＶ断面における油の流れの概略図である。
【図６】第２の実施形態のベーンポンプの図１のＩＶ−ＩＶ断面の概略図である。
【図７】第３の実施形態のベーンポンプの図１のＩＶ−ＩＶ断面の概略図である。
【図８】第３の実施形態のベーンポンプの第１のサイドプレートの概略図である。
【図９】第３の実施形態のベーンポンプの第１のサイドプレートの図８のＩＸ−ＩＸ断面の概略図である。
【図１０】第４の実施形態のベーンポンプの図１のＩＶ−ＩＶ断面の概略図である。
【図１１】第４の実施形態のベーンポンプの第１のサイドプレートの概略図である。
【図１２】第４の実施形態のベーンポンプの第１のサイドプレートの図１１のＸＩＩ−ＸＩＩ断面の概略図である。
【発明を実施するための形態】
【０００９】
以下、添付図面を参照しながら本発明の実施形態に係るベーンポンプ１について説明する。
【００１０】
図１は、ベーンポンプ１の断面概略図である。図２は、ベーンポンプ１の図１のＩＩ−ＩＩ断面の概略図である。図３は、ベーンポンプ１におけるサイドプレート２６の概略図である。
【００１１】
本実施形態におけるベーンポンプ１は、図１，２に示すように、ポンプ機構部２０と、ポンプ機構部２０を収容する収容部３０と、から構成される。
【００１２】
ポンプ機構部２０は、シャフト２１と、ロータ２２と、複数のベーン２３と、カムリング２４と、第１のサイドプレートとしてのサイドプレート２５と、第２のサイドプレートとしてのサイドプレート２６と、を有する。
【００１３】
シャフト２１は、図示しない駆動源の回転駆動力が伝達されて、回転軸Ｘ回りに回転する柱状の部材である。シャフト２１には、ロータ２２がスプライン嵌合しており、シャフト２１が回転軸Ｘ回りに回転すると、ロータ２２もシャフト２１と一体に回転軸Ｘ回りに回転する。
【００１４】
図１に示すように、ロータ２２のリング状の基部２２ａの外周には、板状のベーン２３を収容するスリット２２ｂが回転軸Ｘ周りの周方向に所定間隔で複数設けられている。スリット２２ｂの各々では、磁性体からなるベーン２３が、回転軸Ｘの径方向に往復動自在に収容されており、ベーン２３の各々は、ロータ２２の基部２２ａの外周から出没可能となっている。また、スリット２２ｂの回転軸Ｘ側の端部には、背圧室２２ｃが設けられている。背圧室２２ｃに、作動流体としての油が供給されると、ベーン２３は周方向に突出される。
【００１５】
ロータ２２の基部２２ａの外周は、ロータ２２と同心に配置されたリング形状の部材であるカムリング２４の内周面２４ａによって囲まれている。カムリング２４には、回転軸Ｘ方向から見て、回転軸Ｘの周方向に等間隔で複数の磁石２４ｂが埋設されている。
【００１６】
図１に示すように、断面視におけるカムリング２４の内周面２４ａの形状は、回転軸Ｘからの内径が回転軸Ｘ周りの周方向で変動する略楕円形状である。そのため、ロータ２２の外周とカムリング２４の内周面２４ａとの離間距離Ｒは、回転軸Ｘ周りの周方向で周期的に増減する。内周面２４ａには、ロータ２２のスリット２２ｂから径方向外側に突出したベーン２３の先端が接触するようになっている。つまり、内周面２４ａは、ロータ２２の回転時にベーン２３の先端が摺接する摺接面となっている。
【００１７】
ロータ２２の外周とカムリング２４の内周面２４ａとの間では、回転軸Ｘ周りの周方向で隣接する一対のベーン２３、２３の間に、複数のポンプ室Ｐｘが区画形成されている。上記したように、ロータ２２の外周とカムリング２４の内周面２４ａとの離間距離Ｒは、回転軸Ｘ周りの周方向で周期的に増減している。そのため、各ポンプ室Ｐｘの容積は、ロータ２２の回転に伴って回転軸Ｘ周りの周方向で連続的に変化（増減）する。
【００１８】
図２に示すように、カムリング２４の回転軸Ｘ方向における両側には、シャフト２１に外挿されたサイドプレート２５、２６が位置している。サイドプレート２５、２６の中央には、シャフト２１を貫通させる貫通孔２５ａ、２６ａが設けられている。これら貫通孔２５ａ、２６ａを貫通するシャフト２１は、サイドプレート２５、２６で回転可能に支持されている。また、サイドプレート２５、２６は、図示しない固定ピンなどにより、カムリング２４と連結されており、カムリング２４と一体に回転可能である。
【００１９】
サイドプレート２５には、後述する収容部３０の吸入口３７からポンプ室Ｐｘへ油を流入させるための吸入口２５ｂが設けられている。吸入口２５ｂには、後述するガイド部材１００が設けられている。また、サイドプレート２６には、ポンプ室Ｐｘから後述する収容部３０の吐出口３３へ油を吐出するための吐出口２６ｂと、吐出口２６ｂから吐出された油を背圧室２２ｃへ導くための油路２６ｃ，２６ｄが設けられている。図２に示すように、油路２６ｃは、回転軸Ｘ方向にサイドプレート２６を貫通し、後述する収容部３０の吐出口３３と背圧室２２ｃとを接続する。油路２６ｄは、図２に示すようにサイドプレート２６を貫通しないが、図３に示すように背圧室２２ｃと接続するとともに、接続路２６ｅを介して油路２６ｃと接続する。即ち、油路２６ｄには、油路２６ｃに流入した油が接続路２６ｅを介して流入する。油路２６ｄに流入した油は、油路２６ｄと接続する背圧室２２ｃに供給される。
【００２０】
一方で、収容部３０は、図２に示すように、有底円筒形状に形成される収容部材３１と、カバー部材３５とを有する。
【００２１】
収容部材３１は、ポンプ機構２０の外周を囲む周壁部３１ａと、周壁部３１ａの一端側の開口を封止する底壁部３１ｂとから構成される。周壁部３１ａと底壁部３１ｂによって形成される内側空間Ｓは、ポンプ機構２０の収容空間となっている。
【００２２】
図１に示すように、周壁部３１ａでは、回転軸Ｘ方向から見て、回転軸Ｘの周方向に複数のコイル３４が埋設されている。また、複数のコイル３４と、空間Ｓに収容されるポンプ機構２０のカムリング２４に埋設された磁石２４ｂとは、回転軸Ｘの径方向で対向に配置される。複数のコイル３４は、回転制御手段としてのコントローラＣによって通電が制御され、この通電状態に応じて、複数の磁石２４ｂが埋設されたカムリング２４の回転軸Ｘ回りの回転状態や回転速度などが制御される。
【００２３】
図２に示すように、底壁部３１ｂの中央部には、シャフト２１の一端部が挿入される貫通孔３２が、底壁部３１ｂを回転軸Ｘ方向に貫通して形成されている。空間Ｓに収容されるポンプ機構２０のシャフト２１の一端部は、底壁部３１ｂの貫通孔３２に挿入され、回転可能に支持される。また、底壁部３１ｂの空間Ｓ側の面には、油の吐出口３３が円環形状に開口している。
【００２４】
周壁部３１ａの端面３１ｃには、回転軸Ｘ方向から、カバー部材３５が当接している。収容部材３１とカバー部材３５は、周壁部３１ａの端面３１ｃにカバー部材３５を当接させた状態で、図示しないボルトにより互いに組み付けられており、これにより、空間Ｓにポンプ機構２０が封入される。
【００２５】
カバー部材３５の中央部には、シャフト２１を挿通させる挿通孔３６が設けられている。挿通孔３６にはシャフト２１が挿通されており、シャフト２１のカバー部材３５を貫通している領域が、挿通孔３６で回転可能に支持される。また、挿通孔３６の外径側には、油の吸入口３７が空間Ｓに開口して設けられている。
【００２６】
上記構造のベーンポンプ１では、ロータ２２が回転軸Ｘ回りに回転すると、カバー部材３５の吸入口３７とサイドプレート２５の吸入口２５ｂとを介して、容積が増大するポンプ室Ｐｘ内に油が吸引される。ポンプ室Ｐｘ内に吸引された油は、ロータ２２の回転に伴ってポンプ室Ｐｘの容積が減少すると、サイドプレート２６に設けた吐出口２６ｂと底壁部３１ｂの吐出口３３とを介して、ベーンポンプ１から吐出される。また、吐出口２６ｂから吐出された油の一部は、吐出口３３と油路２６ｃ，２６ｄとを介して背圧室２２ｃに流入し、ベーン２３を内周面２４ａ方向へ突出させる。
【００２７】
本実施形態におけるベーンポンプ１において、油の吐出量はロータ２２の回転速度に応じて変化するが、ロータ２２の回転速度はカムリング２４を回転させることで相対的に変化する。つまり、油の吐出量は、ロータ２２とカムリング２４の回転状態に応じて制御される。以降の説明では、ロータ２２及びカムリング２４が回転する方向について、図１の矢印Ａの方向を正回転方向Ａとし、図１の矢印Ｂの方向を逆回転方向Ｂとする。
【００２８】
まず、ロータ２２のみが正回転方向Ａに回転する場合、ベーンポンプ１の油の吐出量は、ロータ２２の回転速度に比例する。
【００２９】
次に、ロータ２２が正回転方向Ａに回転するとともにカムリング２４が正回転方向Ａに回転する場合、ロータ２２の回転速度は、ロータ２２のみが正回転方向Ａに回転するときに比べてカムリング２４の回転速度の分だけ相対的に遅くなる。そのため、ベーンポンプ１の油の吐出量は、ロータ２２のみが正回転方向Ａに回転する場合よりも抑制される。
【００３０】
そして、ロータ２２が正回転方向Ａに回転するとともにカムリング２４が逆回転方向Ｂに回転する場合、ロータ２２の回転速度は、ロータ２２のみが正回転方向Ａに回転する場合に比べてカムリング２４の回転速度の分だけ相対的に速くなる。そのため、ベーンポンプ１の油の吐出量は、ロータ２２のみが正回転方向Ａに回転する場合よりも増加する。このようにベーンポンプ１は、カムリング２４の回転方向と回転速度を制御することで、油の吐出量を制御することができる。
【００３１】
ところで、ベーンポンプ１において、ロータ２２が正回転方向Ａに回転するとともにカムリング２４が逆回転方向Ｂに回転する場合、吸入口３７からポンプ室Ｐｘへ流入する油の流れは、カムリング２４及びサイドプレート２５，２６の回転によって一旦逆回転方向Ｂに流れてから、ロータ２２の回転方向である正回転方向Ａに向かって流れることになる。つまり、油の流れが蛇行することになる。油がこのように流れると、油の圧力損失が増えて、キャビテーションの発生が促進され、ポンプ吐出量が低下するおそれがある。
【００３２】
そこで、本実施形態では、ポンプ機構部２０の吸入口２５ｂに、油を誘導するガイド部材１００を設ける。
【００３３】
図４は、ベーンポンプ１におけるポンプ機構部２０の図１のＩＶ−ＩＶ断面の概略図である。図５Ａは、ベーンポンプ１におけるポンプ機構部２０の図１のＩＶ−ＩＶ断面における油の流れの概略図である。図５Ｂは、ガイド部材１００を有しない比較例のベーンポンプにおけるポンプ機構部の図１のＩＶ−ＩＶ断面における油の流れの概略図である。
【００３４】
図４に示すように、ポンプ機構部２０において、サイドプレート２５の吸入口２５ｂに、ガイド部材１００が設けられる。ガイド部材１００は、吸入口２５ｂの正回転方向Ａ側の面に固定されており、サイドプレート２５と一体となって回転する。
【００３５】
ガイド部材１００は、湾曲した形状の部材であり、サイドプレート２５とともに停止している際には、吸入口３７や吸入口２５ｂ内の油の流れを阻害しない形状で形成される。また、ガイド部材１００は、ガイド面１０１を有する。ガイド面１０１は、ガイド部材１００が逆回転方向Ｂに回転する時に、油を吸入口２５ｂ及びポンプ室Ｐｘに導く曲率で湾曲している面である。
【００３６】
図５Ａに示すように、ロータ２２及びベーン２３が正回転方向Ａに回転するとともに、カムリング２４及びサイドプレート２５，２６が逆回転方向Ｂに回転すると、ガイド部材１００も逆回転方向Ｂに回転する。ガイド部材１００は、逆回転方向Ｂに回転することで、インペラの役割を果たす。すなわち、ガイド部材１００は、矢印Ｄに示すように、油をカムリング２４の回転方向である逆回転方向Ｂに流れることを防ぎつつ、ガイド面１０１によって油を吸入口２５ｂ及びポンプ室Ｐｘへ誘導する。
【００３７】
一方、図５Ｂに示すように、ガイド部材１００を有しない比較例のポンプ機構部２０では、油の流れは、矢印Ｅに示すようにカムリング２４の回転によって一旦逆回転方向Ｂに流れてから、ロータ２２の回転方向である正回転方向Ａに向かって流れることになる。つまり、油の流れが蛇行してしまう。
【００３８】
このように、本実施形態におけるベーンポンプ１は、ガイド部材１００を有することで、ロータ２２及びベーン２３が正回転方向Ａに回転するとともに、カムリング２４及びサイドプレート２５，２６が逆回転方向Ｂに回転する場合に、油の流れが蛇行することを防ぐ。油の流れが蛇行することを防ぐことで、油の流れの乱れによって圧力損失が増加してキャビテーションが発生するのを抑制し、ポンプ吐出量の低下を抑えることができる。
【００３９】
また、本実施形態のベーンポンプ１では、ロータ２２が停止状態でカムリング２４が逆回転方向Ｂに回転する場合でも、油を吐出可能である。詳細には、ベーンポンプ１は、ロータ２２が停止状態でカムリング２４が回転しても、ポンプ室Ｐｘの容積が変動する。そのため、吸入口３７と吸入口２５ｂとを介して、容積が増大するポンプ室Ｐｘ内に油が吸引される。ポンプ室Ｐｘ内に吸引された油は、カムリング２４の回転に伴ってポンプ室Ｐｘの容積が減少すると、吐出口２６ｂと吐出口３３とを介して、ベーンポンプ１から吐出される。吐出口２６ｂから吐出された油の一部は、吐出口３３と油路２６ｃ，２６ｄとを介して背圧室２２ｃに流入し、ベーン２３を内周面２４ａ方向へ突出させる。
【００４０】
但し、この場合では、ロータ２２が回転していないため、ベーン２３は、ロータ２２の遠心力では突出しない。すなわち、ベーン２３は、吐出口２６ｂから吐出され背圧室２２ｃに流入した油の油圧のみで突出することになる。この場合、背圧室２２ｃに供給される油の量が少なくベーン２３の突出の程度が内周面２４ａに接触しない程度となると、ポンプ室Ｐｘから油が漏れ、ベーンポンプ１の油の吐出量が低下するおそれがある。また、上記のようにベーンポンプ１の油の吐出量が低下すると、ポンプ始動開始時に、ポンプ停止中にポンプ室Ｐｘに溜まった空気をポンプの外に押し出すのに時間を要し、ポンプの始動性が悪化するおそれがある。
【００４１】
しかしながら、本実施形態のベーンポンプ１では、ロータ２２が停止状態でカムリング２４が逆回転方向Ｂに回転すると、ガイド部材１００によって油がポンプ室Ｐｘへ誘導され、ポンプ室Ｐｘに油が充満する。これにより、ポンプ室Ｐｘに溜まった空気が油によって押し出されるため、ポンプの始動性の悪化を防ぐことができる。また、ポンプ室Ｐｘを充満した油は、カムリング２４の回転によって吐出口２６ｂから吐出されるとともに、油路２６ｃ，２６ｄを介して背圧室２２ｃに供給される。背圧室２２ｃに供給された油がベーン２３を付勢することで、ベーン２３は内周面２４ａに接触する。つまり、ロータ２２が停止状態でカムリング２４が逆回転方向Ｂに回転する場合でも、ベーン２３が内周面２４ａに接触する程度に突出するため、ポンプ室Ｐｘから油が漏れず、ベーンポンプ１の油の吐出量の低下を防ぐことができる。
【００４２】
次に、ガイド部材の第２の実施形態であるガイド部材２００について説明する。
【００４３】
図６は、ガイド部材２００を有するポンプ機構部２０の図１のＩＶ−ＩＶ断面の概略図である。
【００４４】
ガイド部材２００は、ガイド面２０１と、凸部２０２とを有する構成である。ガイド面２０１は、ガイド面１０１と同様に、ガイド部材２００が逆回転方向Ｂに回転する時に、油を吸入口２５ｂ及びポンプ室Ｐｘに導く曲率で湾曲している面である。そのため、ガイド部材２００は、逆回転方向Ｂに回転するとき、油がカムリング２４の回転方向である逆回転方向Ｂに流れることを防ぎつつ、ガイド面２０１によって油を吸入口２５ｂ及びポンプ室Ｐｘへ誘導する。
【００４５】
一方、凸部２０２は、サイドプレート２５から回転軸Ｘ方向に向かって隆起した部分である。凸部２０２の表面２０２ａは、ガイド部材２００の回転時に油が表面２０２ａに沿って流れるように、ガイド面２０１の一端部から正回転方向Ａへ向かって流線形に延びて形成されている。特に、ガイド部材２００が正回転方向Ａに回転するとき、矢印Ｆに示すように、油は、凸部２０２の表面２０２ａに沿って端部２０２ｂから端部２０２ｃに向かって流れる。油は、端部２０２ｂからガイド面２０１と接続している端部２０２ｃまで流れると、ガイド面２０１によって吸入口２５ｂ及びポンプ室Ｐｘへと引き込まれる。このように、凸部２０２を有することで、ガイド部材２００は、正回転方向Ａに回転する時でも、油をガイド面２０１に引き込み、ひいては、吸入口２５ｂ及びポンプ室Ｐｘへと誘導することができる。
【００４６】
次に、ガイド部材の第３の実施形態であるガイド部材３００について説明する。
【００４７】
図７は、ガイド部材３００を有するポンプ機構部２０の図１のＩＶ−ＩＶ断面の概略図である。図８は、ガイド部材３００及びサイドプレート２５の概略図である。図９は、ガイド部材３００及びサイドプレート２５の図８のＩＸ−ＩＸ断面の概略図である。
【００４８】
図７から図９に示すように、ガイド部材３００は、ガイド面３０１とストッパー部３０２とを有するガイド部材本体３０３と、ガイド部材本体３０３をサイドプレート２５の吸入口２５ｂに配置させる軸３０４及び支持部材３０５，３０６と、によって構成される。
【００４９】
図９に示すように、ガイド部材本体３０３には、軸３０４が挿通される。軸３０４の一端部は支持部材３０５に支持され、軸３０４の他端部は支持部材３０６に支持される。
【００５０】
支持部材３０５は、サイドプレート２５の外径部分を囲む側部３０５ａと、サイドプレート２５の外径から吸入口２５ｂの外径側まで延伸する延伸部３０５ｂとを有する。延伸部３０５ｂには、軸３０４の一端部を支持するための支持孔３０５ｃが形成される。
【００５１】
支持部材３０６は、図８に示すように環状の部材である。支持部材３０６の外径は、図８に示すように、吸入口２５ｂの内径側（回転軸Ｘ側）に達する大きさである。図９に示すように、支持部材３０６には、支持部材３０５の支持孔３０５ｃと対向する位置に軸３０４の他端部を支持する支持孔３０６ａが形成されている。
【００５２】
ガイド部材本体３０３は、軸３０４と支持部材３０５，３０６とによって、図７に示すように、吸入口２５ｂの正回転方向Ａ側近傍の位置で、軸３０４を支点にガイド位置３０７と退避位置３０８との間を移動可能に支持される。当該位置にガイド部材本体３０３が支持されることで、ガイド部材本体３０３がガイド位置３０７に位置すると、ガイド面３０１と吸入口２５ｂとが回転軸Ｘ方向に離間する。また、ガイド部材本体３０３が退避位置に位置すると、ガイド面３０１の一部が吸入口２５ｂ内に入り込む。
【００５３】
ガイド部材本体３０３は、カムリング２４及びサイドプレート２５，２６とともに逆回転方向Ｂに回転すると、油の流れを受けて、ガイド位置３０７に位置する。ガイド位置３０７において、ガイド部材本体３０３は、ガイド部材１００と同様に、油がカムリング２４の回転方向である逆回転方向Ｂに流れることを防ぎつつ、ガイド面３０１によって油を吸入口２５ｂ及びポンプ室Ｐｘへ誘導する。
【００５４】
一方、ガイド部材本体３０３は、カムリング２４及びサイドプレート２５，２６とともに正回転方向Ａに回転すると、油の流れを受けて、退避位置３０８に位置する。ガイド部材本体３０３は、退避位置３０８まで達すると、ストッパー部３０２がサイドプレート２５と接触し、退避位置３０８にて位置止めされる。
【００５５】
ガイド部材本体３０３は、正回転方向Ａに回転している間に退避位置３０８に位置することで、ガイド位置３０７に位置する場合よりも、正回転方向Ａに回転している間に油の流れを隔てる面積が減少する。そのため、ガイド部材本体３０３が正回転方向Ａに回転している間に退避位置３０８に位置することで、ポンプ機構部２０は、回転時に油から受ける抵抗を減らすことができる。
【００５６】
次に、ガイド部材の第４の実施形態であるガイド部材４００について説明する。
【００５７】
図１０は、ガイド部材４００を有するポンプ機構部２０の図１のＩＶ−ＩＶ断面の概略図である。図１１は、ガイド部材４００及びサイドプレート２５の概略図である。図１２は、ガイド部材４００及びサイドプレート２５の図１１のＸＩＩ−ＸＩＩ断面の概略図である。
【００５８】
図１０から図１２に示すように、ガイド部材４００は、ガイド面４０１を有するガイド部材本体４０３と、ガイド部材本体４０３をサイドプレート２５の吸入口２５ｂに配置させる軸４０４及び支持部材４０５，４０６と、によって構成される。
【００５９】
図１２に示すように、ガイド部材本体４０３には、軸４０４が挿通される。軸４０４の一端部は支持部材４０５に支持され、軸４０４の他端部は支持部材４０６に支持される。
【００６０】
支持部材４０５は、図１２に示すように、サイドプレート２５の外径部分を囲む側部４０５ａと、サイドプレート２５の外径から吸入口２５ｂの外径側まで延伸する延伸部４０５ｂとを有する。延伸部４０５ｂには、軸４０４の一端部を支持するための支持孔４０５ｃが形成されている。
【００６１】
支持部材４０６は、図１１に示すように環状の部材である。支持部材４０６の外径は、図１２に示すように、吸入口２５ｂの内径側（回転軸Ｘ側）に達する大きさである。図１２に示すように、支持部材４０６には、支持部材４０５の支持孔４０５ｃと対向する位置に軸４０４の他端部を支持する支持孔４０６ａが形成されている。
【００６２】
ガイド部材本体４０３は、軸４０４と支持部材４０５，４０６とによって、図１０に示すように、ガイド部材本体４０３と吸入口２５ｂとが回転軸Ｘ方向に対向する位置であり、ガイド部材本体４０３が軸４０４を支点にガイド位置４０７及び退避位置４０８に移動可能な位置に支持される。
【００６３】
ガイド部材本体４０３は、カムリング２４及びサイドプレート２５，２６とともに逆回転方向Ｂに回転すると、油の流れを受けてガイド位置４０７に位置する。ガイド部材本体４０３は、ガイド位置４０７まで達すると、端部４０２が、サイドプレート２５における吸入口２５ｂの正回転方向Ａ側の近傍部分と接触し、ガイド位置４０７にて位置止めされる。ガイド位置４０７において、ガイド部材本体４０３は、ガイド部材１００と同様に、油がカムリング２４の回転方向である逆回転方向Ｂに流れることを防ぎつつ、ガイド面４０１によって油を吸入口２５ｂ及びポンプ室Ｐｘへ誘導する。
【００６４】
一方、ガイド部材本体４０３は、カムリング２４及びサイドプレート２５，２６とともに正回転方向Ａに回転すると、油の流れを受けて退避位置４０８に移動する。ガイド部材本体４０３は、退避位置４０８まで達すると、端部４０２が、サイドプレート２５における吸入口２５ｂの逆回転方向Ｂ側の近傍部分と接触し、退避位置３０８にて位置止めされる。
【００６５】
ガイド部材本体４０３は、正回転方向Ａに回転している間に退避位置４０８に位置することで、油を吸入口２５ｂ及びポンプ室Ｐｘへ誘導することができる。
【００６６】
続いて、本実施形態の作用効果について説明する。
【００６７】
本実施形態では、ベーンポンプ１は、シャフト２１と一体に回転軸Ｘ回りに回転するロータ２２と、ロータ２２に対して径方向に往復動自在に設けられる複数のベーン２３と、ロータ２２の外周を囲み、ベーン２３の先端が摺接し、ロータ２２の外周との離間距離Ｒが回転軸Ｘ回りの方向で変化する内周面２４ａを有し、回転軸Ｘ回りに回転可能に設けられるカムリング２４と、カムリング２４の回転軸Ｘ方向における一端側に、カムリング２４と一体となって回転軸Ｘ回りに回転可能に設けられ、油を吸入する吸入口２５ｂを有するサイドプレート２５と、カムリング２４の回転軸Ｘ方向における他端側に、カムリング２４と一体となって回転軸Ｘ回りに回転可能に設けられ、油を吐出する吐出口２６ｂを有するサイドプレート２６と、ロータ２２と、一対の隣り合うベーン２３，２３と、カムリング２４と、サイドプレート２５と、サイドプレート２６とによって区画されるポンプ室Ｐｘと、カムリング２４と、サイドプレート２５と、サイドプレート２６と、の回転を制御するコントローラＣと、を備える。そして、サイドプレート２５は、逆回転方向Ｂにカムリング２４が回転する場合に、吸入口２５ｂからポンプ室Ｐｘへ、油を誘導するガイド面１０１を有するガイド部材１００を有する。
【００６８】
この構成によれば、ロータ２２及びベーン２３が正回転方向Ａに回転するとともに、カムリング２４及びサイドプレート２５，２６が逆回転方向Ｂに回転する場合に、ガイド部材１００によって、油が逆回転方向Ｂに流れることを防ぎつつ、ガイド面１０１によって油を吸入口２５ｂ及びポンプ室Ｐｘへ誘導する。つまり、ガイド部材１００は、油の流れが蛇行することを防ぎつつ、油を吸入口２５ｂ及びポンプ室Ｐｘへ誘導する。油の流れが蛇行することを防ぐことで、油の流れの乱れによって圧力損失が増加してキャビテーションが発生するのを抑制し、ポンプ吐出量の低下を抑えることができる（請求項１，２に対応する効果）。
【００６９】
上記の効果に加えて、この構成によれば、ロータ２２が停止状態でカムリング２４が逆回転方向Ｂに回転する場合にも、ガイド部材１００によって油がポンプ室Ｐｘへ誘導され、ポンプ室Ｐｘに油が充満する。これにより、ポンプ室Ｐｘに溜まった空気が油によって押し出されるため、ポンプ室Ｐｘに空気が滞留することによるポンプの始動性の悪化を防ぐことができる。また、キャビテーションの発生を抑制することにより、騒音やエロージョンの発生も抑制することができる（請求項１，２に対応する効果）。
【００７０】
また、ガイド部材１００に代えて、サイドプレート２５から回転軸Ｘ方向へ隆起する凸部２０２を有するガイド部材２００としてもよい。
【００７１】
この構成によれば、ガイド部材２００は、凸部２０２によって正回転方向Ａに回転する時でも、油をガイド面２０１に引き込み、ひいては、吸入口２５ｂ及びポンプ室Ｐｘへと誘導することができる（請求項３に対応する効果）。
【００７２】
また、ガイド部材１００に代えて、軸３０４（４０４）及び支持部材３０５，３０６（４０５，４０６）によって支持されることで、油の流れを受けてガイド位置３０７（４０７）と退避位置３０８（４０８）との間を移動可能なガイド部材本体３０３（４０３）を有するガイド部材３００（４００）としてもよい。
【００７３】
この構成によれば、カムリング２４及びサイドプレート２５，２６が逆回転方向Ｂに回転している場合、ガイド部材本体３０３（４０３）がガイド位置３０７（４０７）に移動することで、ガイド部材３００（４００）は、油が逆回転方向Ｂに流れることを防ぎつつ、ガイド面３０１（４０１）によって油を吸入口２５ｂ及びポンプ室Ｐｘへ誘導する。つまり、油の流れが蛇行することを防ぎつつ、油を吸入口２５ｂ及びポンプ室Ｐｘへ誘導することで、油の流れの乱れによって圧力損失が増加してキャビテーションが発生するのを抑制し、ポンプ吐出量の低下を抑えることができる（請求項４に対応する効果）。
【００７４】
また、ガイド部材３００においては、カムリング２４及びサイドプレート２５，２６が逆正回転方向Ａに回転している場合にガイド部材本体３０３が退避位置３０８に移動することで、ポンプ機構部２０が回転時に油から受ける抵抗を減らすことができる。また、ガイド部材４００においては、カムリング２４及びサイドプレート２５，２６が逆正回転方向Ａに回転している場合にガイド部材本体４０３が退避位置４０８に移動することで、吸入口２５ｂ及びポンプ室Ｐｘへ油を誘導することができる。
【００７５】
また、サイドプレート２６は、吐出口２６ｂから吐出された油の一部を背圧室２２ｃに導入する油路２６ｃ，２６ｄを有する構成とした。
【００７６】
この構成によれば、特にロータ２２が停止状態でカムリング２４が逆回転方向Ｂに回転する場合においても、ガイド部材１００によってポンプ室Ｐｘへ誘導され、ポンプ室Ｐｘを充満した油が、カムリング２４の回転によって吐出口２６ｂから吐出されて油路２６ｃ，２６ｄを介して背圧室２２ｃに供給される。これにより、ベーン２３が内周面２４ａに接触する程度に突出するため、ポンプ室Ｐｘから油が漏れず、ベーンポンプ１の油の吐出量の低下を防ぐことができる（請求項５に対応する効果）。
【００７７】
以上、本発明の実施形態について説明したが、上記実施形態は本発明の適用例の一つを示したものに過ぎず、本発明の技術的範囲を上記実施形態の具体的構成に限定する趣旨ではない。
【符号の説明】
【００７８】
１                            ：ベーンポンプ
２２                          ：ロータ
２３                          ：ベーン
２４                          ：カムリング
２５                          ：サイドプレート（第１のサイドプレート）
２６                          ：サイドプレート（第２のサイドプレート）
１００，２００，３００，４００：ガイド部材
１０１，２０１，３０１，４０１：ガイド面
Ｐｘ                          ：ポンプ室
Ｃ                            ：コントローラ（回転制御手段）
【図１】
2020200786.tif 000003
【図２】
2020200786.tif 000004
【図３】
2020200786.tif 000005
【図４】
2020200786.tif 000006
【図５Ａ】
2020200786.tif 000007
【図５Ｂ】
2020200786.tif 000008
【図６】
2020200786.tif 000009
【図７】
2020200786.tif 000010
【図８】
2020200786.tif 000011
【図９】
2020200786.tif 000012
【図１０】
2020200786.tif 000013
【図１１】
2020200786.tif 000014
【図１２】
2020200786.tif 000015